(57)【要約】【課題】アイテムを簡易に登録して管理する。【解決手段】ユーザにより管理される物品を撮像したアイテム画像および仮想的に廃棄をしたことを示す仮想廃棄フラグを含むアイテムレコードを、アイテム毎に記憶するアイテム記憶部と、ユーザによる登録指示に応じて、アイテム画像を取得し、取得したアイテム画像を含む新たなアイテムレコードをアイテム記憶部に登録するアイテム登録部と、ユーザによる廃棄指示に応じて、選択されたアイテムレコードに含まれる仮想廃棄フラグをオンに更新するアイテム更新部と、仮想廃棄フラグがオンとされたアイテムレコードのリストを生成するリスト生成部と、を備えるアイテム管理装置を提供する。【選択図】図１
2015172843.tif 000002
【特許請求の範囲】
【請求項１】
ユーザにより管理される物品を撮像したアイテム画像および仮想的に廃棄をしたことを示す仮想廃棄フラグを含むアイテムレコードを、アイテム毎に記憶するアイテム記憶部と、
ユーザによる登録指示に応じて、前記アイテム画像を取得し、取得した前記アイテム画像を含む新たなアイテムレコードを前記アイテム記憶部に登録するアイテム登録部と、
ユーザによる廃棄指示に応じて、選択された前記アイテムレコードに含まれる前記仮想廃棄フラグをオンに更新するアイテム更新部と、
前記仮想廃棄フラグがオンとされた前記アイテムレコードのリストを生成するリスト生成部と、
を備えるアイテム管理装置。
【請求項２】
前記アイテム記憶部は、仮想的に廃棄することを検討した最後の日時を示す検討日時を含む前記アイテムレコードを記憶し、
前記アイテム更新部は、仮想的に廃棄することを検討した場合に、前記検討日時を更新し、
前記リスト生成部は、仮想的に廃棄することを検討する場合に、所持フラグがオンとされた前記アイテムレコードのうち、前記検討日時から設定期間を経過した前記アイテムレコードのリストを生成する
請求項１に記載のアイテム管理装置。
【請求項３】
前記アイテム記憶部は、登録した日時を示す登録日時を含むアイテムレコードを記憶し、
前記アイテム登録部は、前記登録指示に応じて、前記登録日時と同一とした前記検討日時を含む前記新たなアイテムレコードを登録する
請求項２に記載のアイテム管理装置。
【請求項４】
前記アイテム記憶部は、アイテムの色を示す色情報を含む前記アイテムレコードを記憶し、
前記アイテム登録部は、前記登録指示に応じて、前記アイテム画像から前記物品の主要な色を検出し、検出した色を表す色情報を前記新たなアイテムレコードに設定し、
前記リスト生成部は、ユーザにより指定された色を含む前記アイテムレコードのリストを生成する
請求項１に記載のアイテム管理装置。
【請求項５】
前記アイテム記憶部は、アイテムを放出したことを示す放出済フラグを含む前記アイテムレコードを記憶し、
前記アイテム更新部は、ユーザによる放出指示に応じて、選択された前記アイテムレコードに含まれる前記放出済フラグをオンに更新し、
前記リスト生成部は、前記放出済フラグがオンとされた前記アイテムレコードのリストを生成する
請求項１に記載のアイテム管理装置。
【請求項６】
他人に貸与する物品を撮像した貸与アイテム画像と、対応する前記アイテムレコードを示すリンク情報とを含む貸与レコードを記憶する貸与アイテム記憶部と、
ユーザによる貸与指示に応じて、前記貸与アイテム画像を取得し、取得した前記貸与アイテム画像を含む新たな貸与レコードを前記貸与アイテム記憶部に登録する貸与登録部と
を備える請求項１に記載のアイテム管理装置。
【請求項７】
前記貸与アイテム記憶部は、返却予定日を含む前記貸与レコードを記憶し、
前記アイテム管理装置は、ユーザによる期限設定指示に応じて、選択された前記貸与レコードの前記返却予定日を更新する貸与更新部をさらに備え、
前記リスト生成部は、前記返却予定日を超過した前記貸与レコードのリストを生成する
請求項６に記載のアイテム管理装置。
【請求項８】
前記リスト生成部により生成されたリストを表示する表示部をさらに備える
請求項１から７の何れか１項に記載のアイテム管理装置。
【請求項９】
前記登録指示に応じて、前記物品を撮像して、前記アイテム画像を生成する撮像部をさらに備える
請求項１から８の何れか１項に記載のアイテム管理装置。
【請求項１０】
カメラを有する端末装置と、前記端末装置とネットワークを介して接続された情報処理装置とを備えるアイテム管理システムであって、
ユーザにより管理される物品を撮像したアイテム画像および仮想的に廃棄をしたことを示す仮想廃棄フラグを含むアイテムレコードを、アイテム毎に記憶するアイテム記憶部と、
ユーザによる登録指示に応じて、前記アイテム画像を取得し、取得した前記アイテム画像を含む新たなアイテムレコードを前記アイテム記憶部に登録するアイテム登録部と、
ユーザによる廃棄指示に応じて、選択された前記アイテムレコードに含まれる前記仮想廃棄フラグをオンに更新するアイテム更新部と、
前記仮想廃棄フラグがオンとされた前記アイテムレコードのリストを生成するリスト生成部と、
を備えるアイテム管理システム。
【請求項１１】
ユーザによる登録指示に応じて、前記アイテム画像を取得するステップと、
ユーザにより管理される物品を撮像したアイテム画像および仮想的に廃棄をしたことを示す仮想廃棄フラグを含むアイテムレコードを、アイテム毎に記憶するアイテム記憶部に対して、取得した前記アイテム画像を含む新たなアイテムレコードを登録するアイテム登録ステップと、
ユーザによる廃棄指示に応じて、選択された前記アイテムレコードに含まれる前記仮想廃棄フラグをオンに更新するアイテム更新ステップと、
前記仮想廃棄フラグがオンとされた前記アイテムレコードのリストを生成するリスト生成ステップと、
を実行するアイテム管理方法。
【請求項１２】
情報処理装置に、
ユーザによる登録指示に応じて、前記アイテム画像を取得するステップと、
ユーザにより管理される物品を撮像したアイテム画像および仮想的に廃棄をしたことを示す仮想廃棄フラグを含むアイテムレコードを、アイテム毎に記憶するアイテム記憶部に対して、取得した前記アイテム画像を含む新たなアイテムレコードを登録するアイテム登録ステップと、
ユーザによる廃棄指示に応じて、選択された前記アイテムレコードに含まれる前記仮想廃棄フラグをオンに更新するアイテム更新ステップと、
前記仮想廃棄フラグがオンとされた前記アイテムレコードのリストを生成するリスト生成ステップと、
を実行させるためのプログラム。
【発明の詳細な説明】
【技術分野】
【０００１】
本発明は、アイテム管理装置、アイテム管理システム、アイテム管理方法およびプログラムに関する。
【背景技術】
【０００２】
ユーザが所持するアイテムを管理するためのアプリケーションプログラム等が知られている。このようなアプリケーションプログラムでは、アイテムを購入後、ユーザがアイテム名等を文字入力したことに応じて、そのアイテムが登録される。
【発明の概要】
【発明が解決しようとする課題】
【０００３】
しかしながら、アイテム名等を文字入力するのは手間である。特に購入直後に登録しなければならないとすると、時間的に余裕がない場合もあり、ユーザの負担が大きい。また、アイテムの廃棄時には、廃棄後にそのアイテムの登録情報を削除しなければならないので、うっかり削除操作をし忘れてしまう場合もある。
【０００４】
本発明は、上記に鑑みてなされたものであって、アイテムの登録およびアイテムの廃棄時の操作を簡易にし、使い勝手を向上させたアイテム管理装置、アイテム管理システム、アイテム管理方法およびプログラムを提供することを目的とする。
【課題を解決するための手段】
【０００５】
上述した課題を解決し、目的を達成するために、本発明に係るアイテム管理装置は、ユーザにより管理される物品を撮像したアイテム画像および仮想的に廃棄をしたことを示す仮想廃棄フラグを含むアイテムレコードを、アイテム毎に記憶するアイテム記憶部と、ユーザによる登録指示に応じて、前記アイテム画像を取得し、取得した前記アイテム画像を含む新たなアイテムレコードを前記アイテム記憶部に登録するアイテム登録部と、ユーザによる廃棄指示に応じて、選択された前記アイテムレコードに含まれる前記仮想廃棄フラグをオンに更新するアイテム更新部と、前記仮想廃棄フラグがオンとされた前記アイテムレコードのリストを生成するリスト生成部と、を備える。
【発明の効果】
【０００６】
本発明によれば、アイテムの登録およびアイテムの廃棄時の処理を簡易にし、使い勝手を向上させることができる。
【図面の簡単な説明】
【０００７】
【図１】図１は、本実施形態に係る端末装置の構成を示す図である。
【図２】図２は、アイテムレコードのデータ項目を示す図である。
【図３】図３は、貸与レコードのデータ項目を示す図である。
【図４】図４は、貸与先レコードのデータ項目を示す図である。
【図５】図５は、メイン画面の一例を示す図である。
【図６】図６は、アイテム登録画面の一例を示す図である。
【図７】図７は、アイテムリスト画面の一例を示す図である。
【図８】図８は、アイテムリスト画面に表示するアイテムの検索条件を設定するための検索画面の一例を示す図である。
【図９】図９は、メニューボックスの一例を示す図である。
【図１０】図１０は、アイテムの詳細表示および編集をするための詳細画面の一例を示す図である。
【図１１】図１１は、仮想廃棄の検討をするための仮想廃棄画面の一例を示す図である。
【図１２】図１２は、仮想廃棄画面に表示するアイテムの検索条件を設定するための検索画面の一例を示す図である。
【図１３】図１３は、廃棄検討ボックスの一例を示す図である。
【図１４】図１４は、設定画面の一例を示す図である。
【図１５】図１５は、貸与登録画面の一例を示す図である。
【図１６】図１６は、貸与リスト画面の一例を示す図である。
【図１７】図１７は、貸与アイテムの詳細を表示する詳細画面の一例を示す図である。
【図１８】図１８は、貸与アイテムと登録済みのアイテムとの紐付けをするための紐付け画面を示す図である。
【図１９】図１９は、端末装置のハードウェア構成を示す図である。
【発明を実施するための形態】
【０００８】
以下に添付図面を参照して、本発明に係るアイテム管理装置の実施形態として、端末装置１０を詳細に説明する。
【０００９】
（端末装置１０の構成）
図１は、実施形態に係る端末装置１０の構成図である。端末装置１０は、撮像機能、データ処理機能および表示機能を備えた携帯型の装置であって、例えば、スマートフォン、携帯電話、および、タブレット端末等の手持ちタイプの携帯端末等である。端末装置１０は、例えば通信機能を備え、一部の機能が据え置き型のコンピュータまたはネットワーク上のサーバにより実現されてもよい。
【００１０】
端末装置１０は、ユーザにより管理される物品であるアイテムを撮像し、撮像したアイテムを管理する。ユーザにより管理される物品とは、例えば、ユーザが所有している物品、または、ユーザが他人に貸与している物品である。ユーザは、自然人に限らず、家族またはグループ単位であってもよいし、店舗または会社単位であってもよい。
【００１１】
端末装置１０は、撮像部２１と、情報記憶部２２と、データ処理部２３と、表示部２４と、入力部２５と、通信部２６とを備える。
【００１２】
撮像部２１は、カメラであって、ユーザによる登録指示に応じて物品（アイテム）を撮像する。そして、撮像部２１は、撮像したアイテムを含むアイテム画像を生成する。
【００１３】
情報記憶部２２は、各種の情報を記憶するＲＡＭ（Read  Only  Memory）およびＲＯＭ（Random  Access  Memory）等である。情報記憶部２２は、アイテム記憶部３１と、貸与アイテム記憶部３２と、貸与先記憶部３３と、画面記憶部３４とを有する。
【００１４】
アイテム記憶部３１は、ユーザが管理するアイテム毎に、アイテムレコードを記憶する。アイテムレコードは、図２に示されるようなデータ項目（フィールド）を含む。
【００１５】
アイテムレコードは、図２に示すように、基本情報として、番号、アイテム名、アイテム画像、色、商品コードを含む。番号は、アイテム毎にユニークに割り振られる値である。アイテム名は、アイテムを表す文字列であり、ユーザにより入力される。アイテム画像は、アイテムを含む画像である。色は、アイテムの表面の主要な色を示す情報である。商品コードは、管理団体等が商品毎に割り当てたコードであり、例えば、ＪＡＮ(Japanese  Article  Number)コードである。
【００１６】
また、アイテムレコードは、メモ情報として、テキストデータであるメモを含む。メモには、タグ、検索用のキーワード等が含まれてもよい。また、アイテムレコードは、登録時情報として、当該レコードを登録した登録日時および当該レコードを登録した位置を含む。また、アイテムレコードは、取得時情報として、アイテムを購入または取得した取得日時および取得先を含む。また、アイテムレコードは、アイテムを収納している収納場所名および収納場所画像を含む。
【００１７】
また、アイテムレコードは、ステータス情報として、所持フラグ、保留フラグ、ゴミ箱フラグ、検討日時および移動日時を含む。
【００１８】
ゴミ箱フラグは、ユーザがアイテムを仮想的に廃棄したことを示すフラグ（仮想廃棄フラグ）である。保留フラグは、ユーザがアイテムを仮想的に廃棄するか否かを検討中であることを、すなわち、仮想的に廃棄するか否かの結論を出していないことを示すフラグである。所持フラグは、アイテムを仮想的に廃棄しておらず、廃棄するか否かの検討中でもないことを示すフラグである。
【００１９】
なお、アイテムを仮想的に廃棄するとは、ユーザがアイテムを現実に廃棄したか否かに関わらず、ユーザがそのアイテムを廃棄する意図があることをいう。所持フラグ、保留フラグ、および、ゴミ箱フラグは、何れか１つがオンとされ、他がオフとされる。すなわち、所持フラグ、保留フラグ、および、ゴミ箱フラグは、選択的に何れか１つがオンとされる。アイテムレコードの登録時（初期状態）においては、所持フラグがオンとされ、保留フラグおよびゴミ箱フラグがオフとされている。
【００２０】
検討日時は、仮想的に廃棄することの検討、すなわち、所持フラグ、保留フラグおよびゴミ箱フラグの何れをオンとするかを検討した最後の日時である。移動日時は、所持フラグ、保留フラグおよびゴミ箱フラグのうち、オンとしているフラグを変更した最後の日時である。
【００２１】
また、アイテムレコードは、放出情報として、放出済フラグ、放出日時および譲渡先を含む。放出済フラグは、アイテムを現実で放出（譲渡、廃棄および紛失等）したことを示すフラグである。放出日時は、アイテムを現実で放出した日時を示す。譲渡先は、アイテムを譲渡した場合、譲渡先を表すテキストデータである。
【００２２】
また、アイテムレコードは、保護情報として、ユーザが気に入っていることを示すお気に入りフラグと、アイテムを仮想的に廃棄することの検討の対象外であることを示す検討対象外フラグとを含む。また、アイテムレコードは、貸出情報として、対応する貸与レコードを示す貸与レコードへのリンク情報を含む。
【００２３】
貸与アイテム記憶部３２は、ユーザが他人に貸与したアイテム毎に、貸与レコードを記憶する。貸与レコードは、図３に示されるようなデータ項目（フィールド）を含む。
【００２４】
貸与レコードは、図３に示すように、番号、貸与アイテム名、貸与アイテム画像、貸与先名、相手画像、貸与先レコード番号、貸与日、返却予定日、返却済みフラグ、および、アイテムレコードへのリンク情報を含む。
【００２５】
番号は、貸与したアイテム毎にユニークに割り振られる値である。貸与アイテム名は、貸与したアイテムを表す文字列であり、ユーザにより入力される。貸与アイテム画像は、貸与したアイテムを含む画像である。貸与先名は、貸与先を表す文字列であり、ユーザにより入力される。相手画像は、貸与先の顔等を撮像した画像である。貸与先レコード番号は、後述する貸与先レコードを特定する番号である。なお、アイテムレコードは、貸与先レコード番号を含んでいれば、貸与先名および相手画像を含まなくてもよい。
【００２６】
貸与日は、アイテムを貸与した日である。返却予定日は、貸与したアイテムが返却される予定日である。返却済みフラグは、貸与したアイテムが返却されたことを示すフラグである。アイテムレコードへのリンク情報は、対応するアイテムレコードを示すリンク情報である。
【００２７】
貸与先記憶部３３は、貸与先毎に、貸与先レコードを記憶する。貸与先レコードは、図４に示されるようなデータ項目（フィールド）を含む。
【００２８】
貸与先レコードは、図４に示すように、番号、名前、画像、アドレスを含む。番号は、貸与先レコード毎にユニークに割り振られる値である。名前は、貸与先となる他人の名前である。画像は、貸与先となる他人の顔等の画像である。アドレスは、貸与先となる他人のメールアドレス等である。
【００２９】
画面記憶部３４は、ユーザに対して表示すべき画面の元となる画像データ、および、ユーザからの操作情報を受け付けるための操作画面等を記憶する。
【００３０】
データ処理部２３は、例えばＣＰＵ（Central  Processing  Unit）であり、予め記憶されたプログラムを実行することにより機能する。データ処理部２３は、アイテム登録部４１と、アイテム更新部４２と、貸与登録部４３と、貸与更新部４４と、リスト生成部４５とを有する。
【００３１】
アイテム登録部４１は、ユーザによる登録指示に応じて、アイテム画像を取得し、取得したアイテム画像を含む新たなアイテムレコードをアイテム記憶部３１に登録する。より具体的には、アイテム登録部４１は、番号、アイテム画像、色、登録日時、検討日時、および、登録位置を少なくとも含むアイテムレコードを登録する。
【００３２】
この場合、アイテム登録部４１は、登録指示に応じて、アイテム画像から物品の主要な色を検出し、検出した色を表す色情報を新たなアイテムレコードに設定する。また、アイテム登録部４１は、登録指示に応じて、登録日時と同一とした検討日時を含む新たなアイテムレコードを登録する。
【００３３】
また、アイテム登録部４１は、登録時において、所持フラグをオン、保留フラグをオフ、ゴミ箱フラグをオフとする。また、アイテム登録部４１は、登録時において、放出済フラグをオフ、お気に入りフラグをオフ、および、検討対象外フラグをオフとする。また、アイテム登録部４１は、新たなアイテムレコードの他のデータについて、ユーザによる入力操作が無い限り、ヌルまたは初期値を設定する。
【００３４】
アイテム更新部４２は、登録後のユーザによる編集指示に応じて、選択されたアイテムレコードを編集する。
【００３５】
例えば、アイテム更新部４２は、ユーザによる廃棄指示に応じて、選択されたアイテムレコードに含まれるごみ箱フラグをオンとし、所持フラグおよび保留フラグをオフに更新する。また、例えば、アイテム更新部４２は、ユーザによる保留指示に応じて、選択されたアイテムレコードに含まれる保留フラグをオンとし、所持フラグおよびごみ箱フラグをオフに更新する。また、例えば、アイテム更新部４２は、ユーザによる所持指示に応じて、選択されたアイテムレコードに含まれる所持フラグをオンとし、保留フラグおよびごみ箱フラグをオフに更新する。
【００３６】
さらに、アイテム更新部４２は、仮想的に廃棄することを検討した場合、すなわち、所持フラグ、保留フラグおよびゴミ箱フラグの値を変更するか否かを検討した場合、検討日時を、現在の日時に更新する。さらに、アイテム更新部４２は、所持フラグ、保留フラグおよびゴミ箱フラグの値を変更した場合、移動日時を現在の日時に更新する。
【００３７】
また、アイテム更新部４２は、ユーザによる放出指示に応じて、選択されたアイテムレコードに含まれる放出済フラグをオンに更新する。
【００３８】
貸与登録部４３は、ユーザによる貸与指示に応じて、貸与アイテム画像を取得し、取得した貸与アイテム画像を含む新たな貸与レコードを貸与アイテム記憶部３２に登録する。この場合、貸与登録部４３は、番号、貸与アイテム画像、および、貸与日を少なくとも含む貸与レコードを登録する。
【００３９】
また、この場合、貸与登録部４３は、アイテムを貸与した他人を撮像した相手画像を取得し、相手画像を含む新たな貸与レコードを貸与アイテム記憶部３２に登録してもよい。ただし、相手画像を撮像できなかった場合には、貸与登録部４３は、相手画像を含まない貸与レコードを登録してもよい。
【００４０】
また、この場合、貸与登録部４３は、貸与登録時において、返却済みフラグをオフとする。また、貸与登録部４３は、新たな貸与レコードの他のデータについて、ユーザによる入力操作が無い限り、ヌルまたは初期値を設定する。
【００４１】
貸与更新部４４は、貸与後のユーザによる編集指示に応じて、選択されたアイテムレコードを編集する。例えば、貸与更新部４４は、ユーザによる期限設定指示に応じて、選択された貸与レコードの返却予定日を更新する。また、例えば、貸与更新部４４は、ユーザによる返却済み指示に応じて、選択された貸与レコードの返却済みフラグをオンに更新する。
【００４２】
リスト生成部４５は、ユーザの指示に応じて、アイテムレコードのリスト、または、貸与レコードのリストを生成する。この場合において、リスト生成部４５は、指定された条件に応じて絞り込まれたレコードを選択して表示する。
【００４３】
例えば、リスト生成部４５は、ゴミ箱フラグがオンとされたアイテムレコードのリストを生成する。これにより、ユーザは、このリストを参照しながら、実際のアイテムの放出（廃棄または譲渡等）をすることができる。
【００４４】
また、リスト生成部４５は、所持フラグまたは保留フラグがオンとされたアイテムレコードのリストを生成する。これにより、ユーザは、このリストを参照しながら、仮想的な廃棄をすべきか否かを検討することができる。
【００４５】
また、ユーザが仮想的に廃棄することを検討する場合において、リスト生成部４５は、所持フラグまたは保留フラグがオンとされたアイテムレコードのうち、検討日時から設定期間を経過したアイテムレコードのリストを生成する。これにより、ユーザは、前回の検討から設定された期間を経過したアイテムに対して、仮想的な廃棄をすべきか否かを検討することができる。
【００４６】
また、リスト生成部４５は、ユーザにより指定された色を含むアイテムレコードのリストを生成する。これにより、ユーザは、新たなアイテムの購入を検討する場合（例えば、洋服の購入を検討する場合）、自分が保有しているアイテムの色を確認し、重複した色のアイテムの購入を避けることができる。
【００４７】
また、リスト生成部４５は、放出済フラグがオンとされたアイテムレコードのリストを生成する。これにより、ユーザは、過去保有していたが、放出してしまったアイテムを確認することができる。
【００４８】
また、リスト生成部４５は、返却済みフラグがオフとされた貸与レコードのリストを生成する。これにより、ユーザは、未返却のアイテムを確認することができる。この場合において、リスト生成部４５は、返却予定日を超過したアイテムレコードのリストを生成する。これにより、ユーザは、返却予定日が過ぎたアイテムを確認することができる。
【００４９】
入力部２５は、ボタン、タッチパネルまたはキーボード等であって、ユーザからの操作入力を受け付ける。表示部２４は、モニタであって、画面記憶部３４に記憶された各種の画面を表示する。さらに、表示部２４は、リスト生成部４５により生成されたリストを表示する。通信部２６は、他のコンピュータまたはネットワークを介してサーバ等と接続し、各種のデータの送受信を行う。
【００５０】
（端末装置１０の画面遷移）
以下、端末装置１０に表示される画面例を示して、端末装置１０の動作を説明する。
【００５１】
図５は、メイン画面の一例を示す図である。端末装置１０は、動作を開始すると、図５に示すようなメイン画面を表示する。メイン画面は、アイテム登録ボタン５１、アイテムリストボタン５２、仮想廃棄ボタン５３、貸与登録ボタン５４、貸与リストボタン５５、および、設定ボタン５６を含む。
【００５２】
端末装置１０は、アイテム登録ボタン５１が押された場合、アイテム登録画面（図６）に表示を遷移させる。端末装置１０は、アイテムリストボタン５２が押された場合、アイテムリスト画面（図７）に表示を遷移させる。端末装置１０は、仮想廃棄ボタン５３が押された場合、仮想廃棄画面（図１１）に表示を遷移させる。端末装置１０は、貸与登録ボタン５４が押された場合、貸与登録画面（図１５）に表示を遷移させる。端末装置１０は、貸与リストボタン５５が押された場合、貸与リスト画面（図１６）に表示を遷移させる。端末装置１０は、設定ボタン５６が押された場合、設定画面（図１４）に表示を遷移させる。
【００５３】
図６は、アイテム登録画面の一例を示す図である。端末装置１０は、アイテムの登録時において、図６に示すようなアイテム登録画面を表示する。アイテム登録画面は、ビュー画像領域６１、撮影登録ボタン６２、入力ボックス６３、および、編集ボタン６４を含む。
【００５４】
ビュー画像領域６１は、撮像部２１による撮像範囲の画像を表示する。ユーザは、ビュー画像領域６１に表示されている画像を確認して、アイテムが画角内に含まれるように撮像位置を調整する。
【００５５】
アイテム登録部４１は、撮影登録ボタン６２が押された場合、登録指示がされたと判断して、ビュー画像領域６１に写っているアイテムを撮像する。そして、アイテム登録部４１は、撮像したアイテム画像を含む新たなアイテムレコードを登録する。なお、アイテム登録画面は、撮像後のアイテム画像を確認するためのボックス、および、アイテム画像を再度撮影するためのボタン等を含んでいてもよい。
【００５６】
さらに、アイテム登録部４１は、撮影登録ボタン６２が押されたことに応じて、番号、色情報、登録日時、検討日時、および、登録位置を、新たなアイテムレコードに登録する。この場合、アイテム登録部４１は、他のアイテムレコードの番号と異なるように自動生成した値を登録する。また、アイテム登録部４１は、アイテム画像から物品の主要な色を色情報として登録する。また、アイテム登録部４１は、アイテム画像を撮像した日時を、登録日時および検討日時として登録する。また、この場合、アイテム登録部４１は、新たなアイテムレコードに含まれる所持フラグをオン、保留フラグをオフ、ゴミ箱フラグをオフとする。また、アイテム登録部４１は、新たなアイテムレコードに含まれる放出済フラグをオフ、お気に入りフラグをオフ、および、検討対象外フラグをオフとする。
【００５７】
入力ボックス６３は、ユーザがテキストを入力するボックスである。アイテム登録部４１は、編集ボタン６４が押された場合、新たなアイテムレコードに、入力ボックス６３に入力されたテキストを登録する。
【００５８】
また、アイテム登録画面は、例えば、アイテム名、商品コード等の他のデータ項目を入力するボックスを含んでいてもよい。この場合、アイテム登録部４１は、編集ボタン６４が押された場合、新たなアイテムレコードの対応するデータ項目に、入力されたデータを登録する。なお、アイテム登録部４１は、ユーザによる特別な入力操作が無い限り、新たなアイテムレコードの他のデータ項目については、ヌルまたは初期値を登録する。
【００５９】
図７は、アイテムリスト画面の一例を示す図である。端末装置１０は、リスト表示時において、図７に示すようなアイテムリスト画面を表示する。アイテムリスト画面は、検索ボタン７１を含む。端末装置１０は、検索ボタン７１が押された場合、アイテムリスト画面に表示するアイテムの検索条件を設定するための検索画面（図８）に表示を遷移させる。
【００６０】
また、アイテムリスト画面には、リスト生成部４５が生成しアイテムレコード７２（７２−１，７２−２，７２−３，７２−４）のリストが表示される。アイテムリスト画面に表示されるそれぞれのアイテムレコード７２は、一例として、アイテム画像のサムネイルと、色情報と、アイテム名とを含む。
【００６１】
また、端末装置１０は、アイテムリスト画面において何れか１つのアイテムレコード７２（７２−１，７２−２，７２−３，７２−４）が選択された場合、アイテムリスト画面上に、選択されたアイテムレコードに対するメニューボックス（図９）をポップアップ表示する。
【００６２】
図８は、アイテムリスト画面に表示するアイテムの検索条件を設定するための検索画面の一例を示す図である。端末装置１０は、アイテムリスト画面に表示するアイテムの検索条件を設定する場合、図８に示すような検索画面を表示する。図８の検索画面は、リスト表示ボタン８１、選択スイッチ８２、名前入力ボックス８３、色入力ボックス８４、および、メモ入力ボックス８５を含む。
【００６３】
選択スイッチ８２は、所持中ボタン、放出済ボタン、または、所持中且つ放出の全てボタンの何れかを選択するためのスイッチである。リスト生成部４５は、所持中ボタンが選択された状態で、リスト表示ボタン８１が押された場合、放出済フラグがオフとなっているアイテムレコードのリストを生成する。また、リスト生成部４５は、放出済ボタンが選択された状態で、リスト表示ボタン８１が押された場合、放出済フラグがオンとなっているアイテムレコードのリストを生成する。また、リスト生成部４５は、全てボタンが選択された状態で、リスト表示ボタン８１が押された場合、放出済フラグがオンおよびオフとなっているアイテムレコードのリストを生成する。
【００６４】
名前入力ボックス８３には、テキストが入力される。リスト生成部４５は、リスト表示ボタン８１が押された場合、名前入力ボックス８３に入力されたテキストをアイテム名に含むアイテムレコードのリストを生成する。
【００６５】
色入力ボックス８４には、色情報が入力される。色入力ボックス８４は、一例として、カラーパレット等から色情報を選択することができる。リスト生成部４５は、リスト表示ボタン８１が押された場合、色入力ボックス８４に入力された色を色情報に含むアイテムレコードのリストを生成する。
【００６６】
メモ入力ボックス８５には、テキストが入力される。リスト生成部４５は、リスト表示ボタン８１が押された場合、メモ入力ボックス８５に入力されたテキストをメモに含むアイテムレコードのリストを生成する。
【００６７】
そして、端末装置１０は、リスト表示ボタン８１が押されて、リスト生成部４５がリストを生成すると、アイテムリスト画面（図７）に画面を遷移させる。これにより、ユーザは、設定された条件により絞り込まれたアイテムレコードのリストを確認することができる。
【００６８】
なお、図８に示した検索画面に含まれる入力ボックスは、一例であって、他のデータ項目について検索条件の設定が可能であってもよい。さらに、複数の検索条件が入力された場合には、リスト生成部４５は、それぞれの検索条件で選択されたアイテムレコードをアンド演算またはオア演算で合成したリストを生成してもよい。また、検索画面は、表示順序を設定する入力ボックス等を含んでもよい。この場合、リスト生成部４５は、指定された表示順序で並べ替えたリストを表示する。
【００６９】
図９は、メニューボックスの一例を示す図である。端末装置１０は、アイテムレコードのリストが表示された状態で、何れかのアイテムレコードが選択された場合、図９に示すようなメニューボックス９１をポップアップ表示する。
【００７０】
メニューボックス９１は、仮想廃棄ボタン９２、詳細ボタン９３、放出ボタン９４、および、キャンセルボタン９５を含む。端末装置１０は、仮想廃棄ボタン９２が押された場合、仮想廃棄画面に遷移して、選択されたアイテムレコードを仮想廃棄させるか否かを検討するための廃棄検討ボックス（図１３）を表示する。端末装置１０は、詳細ボタン９３が押された場合、アイテムの詳細および編集をするための詳細画面（図１０）に表示を遷移させる。
【００７１】
また、放出ボタン９４が押された場合、アイテム更新部４２は、選択されたアイテムレコードの放出済フラグをオンに更新する。そして、アイテムレコードが更新されると、端末装置１０は、アイテムリストの表示画面（図７）に表示を遷移させる。また、アイテム更新部４２は、キャンセルボタン９５が押された場合、アイテムレコードを更新せずに、アイテムリストの表示画面（図７）に表示を遷移させる。
【００７２】
図１０は、アイテムの詳細表示および編集をするための詳細画面の一例を示す図である。端末装置１０は、アイテムの内容の詳細をユーザに提示する場合、図１０に示すような詳細画面を表示する。
【００７３】
図１０の詳細画面は、アイテム名の編集ボックス１０１、収納場所名の編集ボックス１０２、メモの編集ボックス１０４、お気に入りのチェックボックス１０５、検討対象外のチェックボックス１０６、仮想廃棄ボタン１０７、セーブボタン１０８、および、キャンセルボタン１０９を含む。
【００７４】
アイテム更新部４２は、アイテム名の編集ボックス１０１、収納場所名の編集ボックス１０２またはメモの編集ボックス１０４にテキストが入力された場合、選択されたアイテムレコードのアイテム名、収納場所名またはメモを変更する。また、アイテム更新部４２は、お気に入りのチェックボックス１０５および検討対象外のチェックボックス１０６にチェックがされた場合、選択されたアイテムレコードのお気に入りフラグまたは検討対象外フラグをオンとする。
【００７５】
また、アイテム更新部４２は、セーブボタン１０８が押された場合、編集したアイテムレコードをアイテム記憶部３１に上書きする。また、アイテム更新部４２は、キャンセルボタン１０９が押された場合、編集内容をキャンセルして、選択されたアイテムレコードを更新せず、直前の画面に表示を遷移させる。また、端末装置１０は、仮想廃棄ボタン１０７が押された場合、仮想廃棄画面に遷移して、選択されたアイテムレコードを仮想廃棄させるか否かを検討するための廃棄検討ボックス（図１３）を表示する。
【００７６】
なお、図１０に示した詳細画面に含まれるデータ項目は、一例であって、詳細画面には、他のデータ項目の編集ボックス等を含んでもよい。
【００７７】
図１１は、仮想廃棄の検討をするための仮想廃棄画面の一例を示す図である。端末装置１０は、ユーザに仮想廃棄の検討をさせる場合、図１１に示すような仮想廃棄画面を表示する。
【００７８】
仮想廃棄画面には、所持タブ１１１、保留タブ１１２およびゴミ箱タブ１１３を含む。所持タブ１１１、保留タブ１１２およびゴミ箱タブ１１３は、何れか１つが選択されるタブスイッチである。所持タブ１１１が選択された場合、リスト生成部４５は、所持フラグがオンとなっているアイテムレコードのリストを生成する。保留タブ１１２が選択された場合、リスト生成部４５は、保留フラグがオンとなっているアイテムレコードのリストを生成する。ゴミ箱タブ１１３が選択された場合、リスト生成部４５は、ゴミ箱フラグがオンとなっているアイテムレコードのリストを生成する。
【００７９】
端末装置１０は、仮想廃棄画面において、リスト生成部４５が生成したリストに含まれるアイテムレコード１１４（１１４−１，１１４−２）を表示する。仮想廃棄画面に表示されたアイテムレコード１１４は、一例として、アイテム画像のサムネイルと、色情報と、アイテム名を含む。
【００８０】
また、端末装置１０は、何れか１つのアイテムレコード１１４（１１４−１，１１４−２）の選択がされた場合、仮想廃棄画面上に、選択されたアイテムレコードを仮想廃棄させるか否かを検討するための廃棄検討ボックス（図１３）をポップアップ表示する。
【００８１】
また、仮想廃棄画面は、検索ボタン１１５を含む。端末装置１０は、検索ボタン１１５が押された場合、仮想廃棄画面に表示するアイテムの検索条件を設定するための検索画面（図１２）に表示を遷移させる。
【００８２】
図１２は、仮想廃棄画面に表示するアイテムの検索条件を設定するための検索画面の一例を示す図である。端末装置１０は、仮想廃棄画面に表示するアイテムの検索条件を設定する場合、図１２に示すような検索画面を表示する。
【００８３】
図１２の検索画面には、所持タブ１１１、保留タブ１１２およびゴミ箱タブ１１３を含む。所持タブ１１１が選択されている場合、リスト生成部４５は、所持フラグがオンとなっているアイテムレコードに検索を絞り込んでリストを生成する。保留タブ１１２が選択された場合、リスト生成部４５は、保留フラグがオンとなっているアイテムレコードに検索を絞り込んでリストを生成する。ゴミ箱タブ１１３が選択された場合、リスト生成部４５は、ゴミ箱フラグがオンとなっているアイテムレコードに検索を絞り込んでリストを生成する。
【００８４】
さらに、図１２の検索画面は、リスト表示ボタン１２１、期間設定バー１２２と、名前入力ボックス１２３と、色入力ボックス１２４、登録日入力ボックス１２５、および、メモ入力ボックス１２６を含む。
【００８５】
期間設定バー１２２は、最後の検討日時からの期間が入力される。リスト生成部４５は、リスト表示ボタン１２１が押された場合、所持フラグ、保留フラグまたはゴミ箱フラグの選択された何れかがオンとなっており、且つ、検討日時から期間設定バー１２２により入力された設定期間を経過したアイテムレコードのリストを生成する。
【００８６】
名前入力ボックス１２３には、テキストが入力される。リスト生成部４５は、リスト表示ボタン１２１が押された場合、所持フラグ、保留フラグまたはゴミ箱フラグの選択された何れかがオンとなっており、且つ、名前入力ボックス１２３に入力されたテキストをアイテム名に含むアイテムレコードのリストを生成する。
【００８７】
色入力ボックス１２４には、色情報が入力される。色入力ボックス１２４は、一例として、カラーパレット等から色情報を選択することができる。リスト生成部４５は、リスト表示ボタン１２１が押された場合、所持フラグ、保留フラグまたはゴミ箱フラグの選択された何れかがオンとなっており、且つ、色入力ボックス１２４に入力された色を色情報に含むアイテムレコードのリストを生成する。
【００８８】
登録日入力ボックス１２５には、日付が入力される。リスト生成部４５は、リスト表示ボタン１２１が押された場合、所持フラグ、保留フラグまたはゴミ箱フラグの選択された何れかがオンとなっており、且つ、登録日入力ボックス１２５に入力された日付と一致する登録日を含むアイテムレコードのリストを生成する。
【００８９】
メモ入力ボックス１２６には、テキストが入力される。リスト生成部４５は、リスト表示ボタン１２１が押された場合、所持フラグ、保留フラグまたはゴミ箱フラグの選択された何れかがオンとなっており、且つ、メモ入力ボックス１２６に入力されたテキストをメモに含むアイテムレコードのリストを生成する。
【００９０】
そして、端末装置１０は、リスト表示ボタン１２１が押されて、リスト生成部４５がリストを生成すると、仮想廃棄画面（図１１）に画面を遷移させる。これにより、ユーザは、設定された条件により絞り込まれたアイテムレコードのリストを確認することができる。
【００９１】
なお、図１２に示した検索画面に表示した入力ボックスは、一例であって、他のデータ項目について検索条件が設定できてもよい。さらに、複数の検索条件が入力された場合には、リスト生成部４５は、それぞれの検索条件で選択されたアイテムレコードをアンド演算またはオア演算で合成したリストを生成してもよい。また、検索画面は、表示順序を設定する入力ボックス等を含んでもよい。この場合、リスト生成部４５、指定された表示順序で並べ替えたリストを表示する。
【００９２】
図１３は、廃棄検討ボックスの一例を示す図である。端末装置１０は、廃棄検討の指示がされた場合、図１３に示すような廃棄検討ボックス１３１を表示する。
【００９３】
廃棄検討ボックス１３１は、所持ボタン１３２、保留ボタン１３３、ゴミ箱ボタン１３４、および、キャンセルボタン１３５を含む。
【００９４】
所持ボタン１３２が押された場合、アイテム更新部４２は、選択されたアイテムレコードの所持フラグをオンとし、保留フラグおよびゴミ箱フラグをオフとする。保留ボタン１３３が押された場合、アイテム更新部４２は、選択されたアイテムレコードの保留フラグをオンとし、所持フラグおよびゴミ箱フラグをオフとする。ゴミ箱ボタン１３４が押された場合、アイテム更新部４２は、選択されたアイテムレコードのゴミ箱フラグをオンとし、所持フラグおよび保留フラグをオフとする。
【００９５】
そして、アイテム更新部４２は、所持ボタン１３２、保留ボタン１３３またはゴミ箱ボタン１３４の何れかが押された場合には、選択されたアイテムレコードの検討日時を現在の日時に更新する。また、これらの操作の結果、所持フラグ、保留フラグおよびゴミ箱フラグの値が変更された場合には、アイテム更新部４２は、選択されたアイテムレコードの移動日時を現在の日時に更新する。そして、アイテムレコードが更新されると、端末装置１０は、仮想廃棄画面（図１１）に表示を遷移させる。
【００９６】
また、アイテム更新部４２は、キャンセルボタン１３５が押された場合、アイテムレコードを更新せずに、仮想廃棄画面（図１１）に表示を遷移させる。
【００９７】
図１４は、設定画面の一例を示す図である。端末装置１０は、ユーザに設定操作をさせる場合、図１４に示すような設定廃棄画面を表示する。設定画面は、表示数バー１４１、および、期間設定バー１４２を含む。
【００９８】
表示数バー１４１は、表示するアイテムレコードの数が入力される。リスト生成部４５は、リストを生成する場合、表示数バー１４１により設定された数のアイテムレコードを１ページに含める。
【００９９】
期間設定バー１４２は、最後の検討日時からの期間が入力される。リスト生成部４５は、仮想廃棄画面でリストを表示する場合、検討日時から期間設定バー１４２に入力された設定期間を経過したアイテムレコードのリストを生成する。なお、期間設定バー１４２で設定される期間は初期値であり、リスト生成部４５は、図１２の検索画面で期間が設定された場合には、図１２の検索画面で設定された期間を優先して用いる。
【０１００】
図１５は、貸与登録画面の一例を示す図である。端末装置１０は、貸与の登録時において、図１５に示すような貸与登録画面を表示する。貸与登録画面は、ビュー画像領域１５１、貸与アイテム撮影ボタン１５２、貸与相手撮影ボタン１５３、および、追加ボタン１５４を含む。
【０１０１】
ビュー画像領域１５１は、撮像部２１による撮像範囲の画像を表示する。ユーザは、ビュー画像領域１５１に表示されている画像を確認して、貸与アイテムまたはアイテムの貸与先である他人が画角内に含まれるように撮像位置を調整する。
【０１０２】
貸与登録部４３は、貸与アイテム撮影ボタン１５２が押された場合、貸与登録指示がされたと判断して、ビュー画像領域１５１に写っているアイテムを撮像して、貸与アイテム画像を取り込む。また、貸与登録部４３は、貸与相手撮影ボタン１５３が押された場合、貸与相手の撮影が指示されたと判断して、ビュー画像領域１５１に写っている相手を撮影して、相手画像を取り込む。そして、貸与登録部４３は、追加ボタン１５４が押された場合、撮像した貸与アイテム画像および相手画像を含む新たな貸与レコードを登録する。
【０１０３】
なお、貸与登録部４３は、相手画像を撮影していない場合であっても、新たな貸与レコードを登録してもよい。また、貸与登録画面は、撮像後の貸与アイテム画像および相手画像を確認するためのボックス、および、再度撮影するためのボタン等を含んでいてもよい。
【０１０４】
図１６は、貸与リスト画面の一例を示す図である。端末装置１０は、貸与リスト表示時において、図１６に示すような貸与リスト画面を表示する。貸与アイテムリスト画面には、リスト生成部４５が生成した、返却済みフラグがオフとされた貸与レコード１６１（１６１−１，１６１−２）がリスト表示される。貸与アイテムリスト画面に表示された貸与レコード１６１は、一例として、貸与アイテム画像のサムネイルと、編集ボタン１６２と、紐付けボタン１６３とを含む。
【０１０５】
端末装置１０は、編集ボタン１６２が押された場合、選択された貸与アイテムの詳細表示および編集のための詳細画面（図１７）に表示を遷移させる。また、端末装置１０は、紐付けボタン１６３が押された場合、選択された貸与アイテムの紐付け画面（図１８）に表示を遷移させる。
【０１０６】
図１７は、貸与アイテムの詳細表示および編集のための詳細画面の一例を示す図である。端末装置１０は、貸与アイテムの内容の詳細をユーザに提示する場合、図１７に示すような詳細画面を表示する。
【０１０７】
図１７の詳細画面は、アイテム名の編集ボックス１７１、貸与アイテム画像のサムネイル１７２、貸与先名の編集ボックス１７３、相手画像のサムネイル１７４、返却予定日の編集ボックス１７５、返却済チェックボックス１７６、セーブボタン１７７、および、キャンセルボタン１７８を含む。
【０１０８】
貸与更新部４４は、アイテム名の編集ボックス１７１、貸与先名の編集ボックス１７３、または、返却予定日の編集ボックス１７５にテキストが入力された場合、選択された貸与レコードの貸与アイテム名、貸与先名、または、返却予定日を変更する。また、貸与更新部４４は、貸与アイテム画像のサムネイル１７２または相手画像のサムネイル１７４の変更指示がされた場合、選択された貸与アイテム画像または相手画像を変更する。また、貸与更新部４４は、返却済チェックボックス１７６にチェックがされた場合、選択された貸与レコードの返却済みフラグをオンとする。
【０１０９】
また、貸与更新部４４は、セーブボタン１７７が押された場合、編集内容を確定させて貸与レコードを貸与アイテム記憶部３２に上書きする。また、貸与更新部４４は、キャンセルボタン１７８が押された場合、編集内容をキャンセルして、選択された貸与レコードの更新をしない。
【０１１０】
なお、図１７に示した詳細画面に含まれるデータ項目は、一例であって、詳細画面には、他のデータ項目の編集ボックス等を含んでもよい。
【０１１１】
図１８は、貸与アイテムと登録済みのアイテムとの紐付けをするための紐付け画面を示す図である。端末装置１０は、貸与アイテムと登録済みのアイテムとの紐付けをする場合、図１８に示す紐付け画面を表示する。
【０１１２】
図１８の紐付け画面には、選択された貸与アイテムの貸与レコード１８１と、複数のアイテムレコード１８２（１８２−１〜１８２−５）のリストとが表示される。このような紐付け画面において、ユーザは、複数のアイテムレコード１８２の中から１つのアイテムレコード１８２を特定する。１つのアイテムレコード１８２が特定された場合、貸与更新部４４は、選択された貸与レコードにおけるリンク情報に、特定されたアイテムレコードの番号を書き込む。また、貸与更新部４４は、特定されたアイテムレコードにおけるリンク情報に、選択された貸与レコードの番号を書き込む。
【０１１３】
これにより、貸与更新部４４は、選択された貸与レコード１８１と、特定されたアイテムレコード１８２とを紐付けることができる。
【０１１４】
図１９は、実施形態に係る端末装置１０のハードウェアブロック図である。端末装置１０は、カメラ３０１と、ディスプレイ３０２と、ＣＰＵ３０３と、ＲＯＭ３０４と、ＲＡＭ３０５と、記憶装置３０６と、通信装置３０７とを備える。各部は、バスにより接続される。
【０１１５】
カメラ３０１は、レンズ等の光学系、撮像素子および信号処理回路等を備え、被写体を撮像して画像データを出力する。カメラ３０１は、撮像部２１に対応するハードウェアである。
【０１１６】
ディスプレイ３０２は、ＬＣＤ（Liquid  Crystal  Display）等の表示装置である。ディスプレイ３０２は、ＣＰＵ３０３からの表示信号に基づいて情報を表示する。ディスプレイ３０２は、表示部２４に対応するハードウェアである。
【０１１７】
ＣＰＵ３０３は、ＲＡＭ３０５の所定領域を作業領域として、ＲＯＭ３０４または記憶装置３０６に予め記憶された各種プログラムとの協働により各種処理を実行し、端末装置１０を構成する各部の動作を統括的に制御する。また、ＣＰＵ３０３は、ＲＯＭ３０４または記憶装置３０６に予め記憶されたプログラムとの協働により、カメラ３０１、ディスプレイ３０２および通信装置３０７等を制御する。
【０１１８】
ＲＯＭ３０４は、不揮発性メモリであって、端末装置１０の制御に用いられるプログラムおよび各種情報を記憶する。ＲＡＭ３０５は、揮発性のメモリであって、ＣＰＵ３０３の作業領域として機能する。
【０１１９】
記憶装置３０６は、フラッシュメモリ等の半導体による記憶媒体、磁気的または光学的に記録可能な記憶媒体等の書き換え可能な記録装置である。記憶装置３０６は、端末装置１０の制御に用いられるプログラムおよび各種情報等を記憶する。通信装置３０７は、外部の機器と通信して、各種の情報の入力および出力等に用いられる。
【０１２０】
本実施形態の端末装置１０で実行されるプログラムは、インストール可能な形式または実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録されて提供される。
【０１２１】
また、本実施形態の端末装置１０で実行されるプログラムを、インターネット等のネットワークに接続されたコンピュータ上に格納し、ネットワーク経由でダウンロードさせることにより提供するように構成してもよい。また、本実施形態の端末装置１０で実行されるプログラムをインターネット等のネットワーク経由で提供または配布するように構成してもよい。また、本実施形態の端末装置１０で実行されるプログラムを、ＲＯＭ等に予め組み込んで提供するように構成してもよい。
【０１２２】
本実施形態の端末装置１０で実行されるプログラムは、上述した端末装置１０の各処理部（アイテム登録部４１、アイテム更新部４２、貸与登録部４３、貸与更新部４４およびリスト生成部４５）を含むモジュール構成となっており、ＣＰＵ３０３（プロセッサ）が記憶媒体等からプログラムを読み出して実行することにより上記各部が主記憶装置上にロードされ、端末装置１０の各部（アイテム登録部４１、アイテム更新部４２、貸与登録部４３、貸与更新部４４およびリスト生成部４５）が主記憶装置上に生成されるようになっている。なお、端末装置１０の一部または全部がハードウェアにより構成されていてもよい。
【０１２３】
また、アイテム登録部４１、アイテム更新部４２、貸与登録部４３、貸与更新部４４およびリスト生成部４５の一部または全部が、ネットワーク上の他の情報処理装置で実現されてもよい。この場合、端末装置１０は、ネットワークを介して他の情報処理装置から処理結果を取得して、表示部２４に処理結果を表示させる。このような情報処理装置と端末装置とを含むアイテム管理システムにより本発明が実現されてもよい。
【０１２４】
本発明のいくつかの実施形態を説明したが、これらの実施形態は、例として提示したものであり、発明の範囲を限定することは意図していない。これら新規な実施形態は、その他の様々な形態で実施されることが可能である。
【符号の説明】
【０１２５】
１０  端末装置
２１  撮像部
２２  情報記憶部
２３  データ処理部
２４  表示部
２５  入力部
２６  通信部
３１  アイテム記憶部
３２  貸与アイテム記憶部
３３  貸与先記憶部
３４  画面記憶部
４１  アイテム登録部
４２  アイテム更新部
４３  貸与登録部
４４  貸与更新部
４５  リスト生成部
３０１  カメラ
３０２  ディスプレイ
３０３  ＣＰＵ
３０４  ＲＯＭ
３０５  ＲＡＭ
３０６  記憶装置
３０７  通信装置
【図１】
2015172843.tif 000003
【図２】
2015172843.tif 000004
【図３】
2015172843.tif 000005
【図４】
2015172843.tif 000006
【図５】
2015172843.tif 000007
【図６】
2015172843.tif 000008
【図７】
2015172843.tif 000009
【図８】
2015172843.tif 000010
【図９】
2015172843.tif 000011
【図１０】
2015172843.tif 000012
【図１１】
2015172843.tif 000013
【図１２】
2015172843.tif 000014
【図１３】
2015172843.tif 000015
【図１４】
2015172843.tif 000016
【図１５】
2015172843.tif 000017
【図１６】
2015172843.tif 000018
【図１７】
2015172843.tif 000019
【図１８】
2015172843.tif 000020
【図１９】
2015172843.tif 000021